(57)【特許請求の範囲】
【請求項１】
塵埃を吸引する送風機と、塵埃を捕集する集塵室と、前記集塵室と前記送風機室とを仕切る隔壁と、前記送風機を内包し前記隔壁に固定された防音室と、前記防音室を内包する送風機室と、前記送風機の吸引口付近と前記隔壁との間に設けたセンターサポートシールと、前記各部を収容する本体とを備え、前記送風機はバネを介して前記防音室に支持・固定され、前記送風機の前部を２本以上のバネで後部を１本以上のバネとし、前記送風機の前部は、後部よりも強く前記防音室に支持・固定される様にした電気掃除機。
【請求項２】
送風機は前部を２本以上のバネで、後部を１本以上のバネで、重心部近傍を１本以上のバネを使用して防音室に支持・固定した請求項１に記載の電気掃除機。
【請求項３】
防音室は、弾性体を介して本体の隔壁に固定した請求項１または２に記載の電気掃除機。
【請求項４】
防音室は、弾性体を介して本体の隔壁に設けた嵌合部に嵌合した請求項１から３のいずれか１項に記載の電気掃除機。
【発明の詳細な説明】
【０００１】
【発明の属する技術分野】
本発明は、一般家庭で使用されている電気掃除機に関するものである。
【０００２】
【従来の技術】
電気掃除機は、送風機の高出力化に対応して、吸音材の改良等によって排気伝達音を低減したり、また防振構造を改良して振動が電気掃除機の本体に伝搬される量を低減する等の種々の工夫が実行されている。
【０００３】
【発明が解決しようとする課題】
従来の構成の電気掃除機は、防音・防振構成が十分ではないという課題を有している。すなわち、送風機の振動を抑えるために使用している、送風機の吸引側と吹き出し側とに設けている防振手段を構成している防振ゴムは、防振機能を十分に満足するためには硬度の低いものを使用する必要があり、同時に送風機の自重を支持する上ではある程度の機械強度も要求され、つまり、硬度の高いものを要求されているものである。
【０００４】
【課題を解決するための手段】
塵埃を吸引する送風機を弾性体を介して送風機を内包する防音室に支持・固定するようにして、柔支持構造とした、モーターの振動音を低減した低騒音の電気掃除機としている。
【０００５】
【発明の実施の形態】
請求項１に記載した発明は、塵埃を吸引する送風機と、塵埃を捕集する集塵室と、前記集塵室と前記送風機室とを仕切る隔壁と、前記送風機を内包し前記隔壁に固定された防音室と、前記防音室を内包する送風機室と、前記送風機の吸引口付近と前記隔壁との間に設けたセンターサポートシールと、前記各部を収容する本体とを備え、前記送風機はバネを介して前記防音室に支持・固定され、前記送風機の前部を２本以上のバネで後部を１本以上のバネとし、前記送風機の前部は、後部よりも強く前記防音室に支持・固定される様にしたことで柔支持構造となり、送風機が発生する振動は、弾性体であるバネによって吸収され防音室の側壁への伝達を防止し、かつ送風機の起動時の起動トルクによる、送風機の径方向の回転と、送風機の動作時に送風機が前方に移動することを防止でき、さらにセンターサポートシールによって送風機のスラスト方向の振動伝搬を低減でき、モーターの振動音の伝達量を低減した低騒音の電気掃除機としている。
【０００６】
請求項２に記載した発明は、送風機は前部を２本以上のバネで、後部を１本以上のバネで、重心部近傍を１本以上のバネを使用して防音室に支持・固定したことで、送風機の起動時の起動トルクによる、送風機の径方向の回転と、送風機の動作時に送風機が前方に移動することを防止でき、モーターの振動音の伝達量を低減した低騒音の電気掃除機としている。
【０００７】
請求項３に記載した発明は、防音室は、弾性体を介して本体の隔壁に固定したことで、送風機の振動が防音室を介して本体に伝搬されることを防止でき低騒音の電気掃除機としている。
【０００８】
請求項４に記載した発明は、防音室は、弾性体を介して本体の隔壁に設けた嵌合部に嵌合したことで、嵌合部のガタツキによって生ずる振動音を低減でき、低騒音の電気掃除機としている。
【０００９】
【実施例】
（実施例１）
以下、本発明の第１の実施例について説明する。図１は本実施例の電気掃除機の本体の構成を示す断面図である。本体３は、塵埃を吸引する送風機６を内部に収容している防音室５と、塵埃を捕集する集塵袋１を備えている集塵室２と、防音室５を内包している送風機室７と、集塵室２と送風機室７とを仕切る隔壁４とを有している。送風機６の前部、つまり吸い込み口８を設けている径大となっている部分と、送風機６の後部、つまり吹き出し口１１を設けている径小となっている部分とは、２本以上のコイルバネ６ａと、１本以上のコイルバネ６ｂによって防音室５の側壁に固定されている。なお、図１では防音室５は送風機６の全体を収容している構成となっているが、送風機６の一部だけを収容する構成としても支障はないものである。図２は、前記した送風機６の前部をコイルバネ６ａによって防音室５に固定している状態を説明する説明図である。
【００１０】
以下、本実施例の動作について説明する。図示していない吸い込みノズルに接続しているノズル部１０から吸い込まれた塵埃を含んでいる空気は、集塵室２の集塵袋１で塵埃を捕集されて、送風機６の吸い込み口８から送風機６の吹き出し口１１を通って本体３の後部に排気される。こうして、清掃面は清掃される。
【００１１】
このとき、本実施例では送風機６は、前部を２本以上のコイルバネ６ａで、後部は１本以上のコイルバネ６ｂによって防音室５の側壁に固定されている。このため、送風機６が回転する結果発生する振動は、コイルバネ６ａ、コイルバネ６ｂによって吸収されて、防音室５の側壁に伝達されるものである。すなわち、送風機６内のインペラやロータのアンバランスや、面振れに起因する回転数と同一の周波数の振動や、電磁的に生じる振動等は、弾性体であるコイルバネ６ａ、６ｂによって吸収されるものであり、防音室５の側壁にはほとんど伝達されないものである。
【００１２】
また、前記コイルバネ６ａと、コイルバネ６ｂとは、送風機６を適切な間隔で支持しているものである。このため、送風機６を運転するときに吸い込み口８が負圧となって送風機６の全体が吸い込み口８側に移動して、隔壁４に密着することを防止できるものである。
【００１３】
なお、送風機６の前部を２本以上のコイルバネ６ａを使用して、送風機６の後部を１本以上のコイルバネ６ｂで固定するようにしている理由は、電動送風機の支持構成を柔構造のものとする必要があるためである。すなわち、コイルバネ６ａあるいはコイルバネ６ｂのバネ定数が大きいと、送風機の振動が隔壁４から本体３に伝達されて騒音となって発生するものである。従って本実施例では、バネ定数の小さいコイルバネ６ａ、６ｂを使用しているものである。このとき、径大となっている前部は、径小となっている後部よりも強く固定する必要があって、送風機６の前部を２本以上のコイルバネ６ａを使用して、送風機６の後部を１本以上のコイルバネ６ａで固定しているものである。
【００１４】
また、前記送風機６の前部の固定は、図２に示しているように、適切な間隔を有して２本以上のコイルバネ６ａによって防音室５に固定しているものである。このため、送風機６を起動した時に発生する起動トルクの反作用によって送風機６の全体が径方向の回転することを防止できるものである。
【００１５】
なお前記説明では、送風機６の前部を２本以上のコイルバネ６ａを使用して、送風機６の後部を１本以上のコイルバネ６ｂで固定するようにしているが、図示していない送風機６の重心部にも１本以上のコイルバネを使用して、防音室５に固定するようにしても支障はないものである。この構成とした場合には、送風機６を防音室５に確実に固定できるため、吸い込み口８が負圧となって送風機６の全体が吸い込み口８側に移動して隔壁４に密着することをより確実に防止できるものである。
【００１６】
またこのとき、送風機６の重心部だけを１本以上のコイルバネを使用して、防音室５に固定するようにしても支障はないものである。この構成とした場合には、送風機６の重力が集中している重心部をコイルバネによって防音室５に支持・固定するようにしているため、非常に簡単な構成で、送風機６の振動が隔壁４から本体３に伝達することを防止できるものである。
【００１７】
また本実施例では、送風機６の吸い込み口８の近傍にセンターサポートシール９を設けている。センターサポートシール９は、低硬度のエラストマーなどを材料として使用しており、送風機６が負圧によって隔壁４に密着したときに、送風機６の振動が隔壁４から本体３に伝達されることを防止しているものである。また、センターサポート９を使用していることによって、送風機６を小さい径で受けることができ、つまり、送風機６の振動振幅をこの発生源に近い部分で受けることができて、本体３への振動の伝搬を確実に抑えることができるものである。
【００１８】
また本実施例では、防音室５の前部を集塵室２と送風機室７を仕切る隔壁４に支持固定する構成としている。このため、振動の発生源である送風機６を収容している防音室５を、隔壁４という非常に広い部分で本体３に支持・固定でき、機械的に非常に高い強度で安定して支持・固定できるものとなっている。また、隔壁４に防音室５を支持固定してから組立ができるため、電気掃除機の組み立て性が向上できるものである。
【００１９】
なお前記説明では、コイルバネ６ａ，６ｂはいずれも防音室５に固定するようにしているが、本体３の側壁に直接固定する構成としても支障はないものである。
【００２０】
また防音室５は、前部を開口させた構成としても、また防音室の一部もしくは全体を本体３と一体とした構成としても支障はないものである。
【００２１】
またこのとき、防音室５の上部を本体３の外郭を使用して構成することも容易にできるものである。この構成とした場合には、電気掃除機の部品点数を削減でき、組立性の向上できるものである。
【００２２】
またこのとき、図３に示しているように、防音室５の底部と本体３の外郭との間に弾性体１３を設けて、防音室５を弾性体１３を介して本体３に固定することができる。前記弾性体１３としては、発泡ゴムや発泡ウレタン等が適切である。この構成としたときには、例えば防音室５の強度が不足している等が原因して、送風機６の振動が、コイルバネ６ａまたはコイルバネ６ｂから防音室５を介して本体３に伝達されることを防止できるものである。
【００２３】
またこのとき、図４に示しているように、防音室５の前部を本体３に設けている隔壁４の嵌合部４ａに弾性体１３を介して嵌合させることができる。このとき、弾性体１３としては、発泡ゴムや発泡ウレタン等が適切である。この構成とすることによって、嵌合部４ａのガタツキによって、送風機６を収容している防音室５の振動が本体３に伝達されることを防止できるものである。
【００２４】
また前記図４に示している思想は、防音室５を上下に分割する構成としたときにも適用できる。つまり、上下に分割することによって防音室５に発生する嵌合部に、図４に示しているものと同様に弾性体１３を使用して、弾性体１３を介して分割した防音室を組み立てることによって、前記嵌合部のガタツキによって、分割した防音室ががたついて本体３にこの振動が伝達されることを防止できるものである。
【００２５】
またこのとき、防音室５を図５に示すような構成とすることができる。すなわち、防音室５と送風機６の間にストッパー１４を設けている構成とするものである。ストッパー１４は発泡ゴムや発泡ウレタンが適しており、送風機６の外周部の要所要所に円弧を描くように設けている。この構成とすることによって、送風機６を起動したときに生ずるトルクの反作用によって送風機６が逆回転することを防止でき、また誤って電気掃除機を落下させたときに送風機６による衝撃によって防音室５が損傷したりすることを防止できるものである。
【００２６】
またこのとき、防音室５を図６に示すような構成とすることができる。すなわち、送風機６の径方向の外周部全体に、シール１５を設けているものである。シール１４は、低硬度の独立気泡の発泡ウレタンや、発泡ゴムなどが適している。この結果、送風機６は防音室５の所定の位置に柔構造で固定でき、送風機６の振動が防音室５に伝達されることを防止できるものである。また、従って前記各実施例で説明したと同様に、送風機６の振動が本体３に伝達されることを防止でき、低騒音の電気掃除機を実現できるものである。またこの構成としたときには、防音室５を軸方向にコンパクトに構成することが可能となり、小型化、軽量化が可能となる。
【００２７】
【発明の効果】
請求項１に記載した発明は、塵埃を吸引する送風機と、塵埃を捕集する集塵室と、前記集塵室と前記送風機室とを仕切る隔壁と、前記送風機を内包し前記隔壁に固定された防音室と、前記防音室を内包する送風機室と、前記送風機の吸引口付近と前記隔壁との間に設けたセンターサポートシールと、前記各部を収容する本体とを備え、前記送風機はバネを介して前記防音室に支持・固定され、前記送風機の前部を２本以上のバネで後部を１本以上のバネとし、前記送風機の前部は、後部よりも強く前記防音室に支持・固定される様にしたことで柔支持構造となり、送風機が発生する振動は、弾性体であるバネによって吸収され防音室の側壁への伝達を防止し、かつ送風機の起動時の起動トルクによる、送風機の径方向の回転と、送風機の動作時に送風機が前方に移動することを防止でき、さらにセンターサポートシールによって送風機のスラスト方向の振動伝搬を低減でき、モーターの振動音の伝達量を低減した低騒音の電気掃除機を実現するものである。
【００２８】
請求項２に記載した発明は、送風機は前部を２本以上のバネで、後部を１本以上のバネで、重心部近傍を１本以上のバネを使用して防音室に支持・固定したことで、送風機の起動時の起動トルクによる、送風機の径方向の回転と、送風機の動作時に送風機が前方に移動することを防止でき、モーターの振動音の伝達量を低減した低騒音の電気掃除機を実現するものである。
【００２９】
請求項３に記載した発明は、防音室は、弾性体を介して本体の隔壁に固定したことで、送風機の振動が防音室を介して本体に伝搬されることを防止でき低騒音の電気掃除機を実現するものである。
【００３０】
請求項４に記載した発明は、防音室は、弾性体を介して本体の隔壁に設けた嵌合部に嵌合したことで、嵌合部のガタツキによって生ずる振動音を低減でき、低騒音の電気掃除機を実現するものである。
【図面の簡単な説明】
【図１】  本発明の実施例である電気掃除機の本体の構造を示す断面図
【図２】  同、送風機の前部を防音室に固定している状態を説明する説明図
【図３】  同、防音室を本体に取り付けている状態を説明する説明図
【図４】  同、防音室の前部を本体の嵌合部に嵌合させている状態を説明する説明図
【図５】  同、防音室と送風機の間にストッパーを設けている構成を説明する説明図
【図６】  同、防音室と送風機の間にシールを設けている構成を説明する説明図
【符号の説明】
１    集塵袋
２    集塵室
３    本体
４    隔壁
４ａ  嵌合部
５    防音室
６    送風機
６ａ  コイルバネ
６ｂ  コイルバネ
７    送風機室
８    吸い込み口
９    センターサポートシール
１１  吹き出し口
１３  弾性体
１４  ストッパー
１５  シール
【図１】
0003864660.tif 000002
【図２】
0003864660.tif 000003
【図３】
0003864660.tif 000004
【図４】
0003864660.tif 000005
【図５】
0003864660.tif 000006
【図６】
0003864660.tif 000007